(57)【要約】【課題】対物レンズのクリーニング専用機構を新たに付加することなく、対物レンズのクリーニングを可能にする。【解決手段】ターンテーブル３にブラシ２３やファン等のクリーニング２２を付設して、ターンテーブル３の回転により、クリーニング手段２２で光ピックアップ７の対物レンズ９をクリーニングする。【選択図】図２
2005129169.tif 000002
【特許請求の範囲】
【請求項１】
光ディスク媒体をターンテーブル上に装着して、スピンドルモータによって回転駆動し、
該光ディスク媒体に光ピックアップによってデータを記録及び／又は再生する光ディスク装置において、
前記光ピックアップの対物レンズのクリーニング手段を前記ターンテーブルに付設し、  該クリーニング手段を該ターンテーブルと一体に回転駆動して、該対物レンズをクリーニングするように構成した
ことを特徴とする光ピックアップのクリーニング装置。
【請求項２】
前記クリーニング手段が前記ターンテーブルに付設されたブラシで構成されている
ことを特徴とする請求項１に記載の光ピックアップのクリーニング装置。
【請求項３】
前記クリーニング手段が前記ターンテーブルに付設されたファンで構成されている
ことを特徴とする請求項１に記載の光ピックアップのクリーニング装置。
【請求項４】
前記クリーニング手段による前記対物レンズのクリーニング時に、該対物レンズを振動させる振動手段を備えた
ことを特徴とする請求項１に記載の光ピックアップのクリーニング装置。
【請求項５】
前記対物レンズのクリーニング動作の終了後に、該対物レンズを前記ターンテーブルの下部位置に待機させる
ことを特徴とする請求項１に記載の光ピックアップのクリーニング装置。
【請求項６】
前記クリーニング手段による前記対物レンズのクリーニング位置が、前記ターンテーブルの外周より外方の記録及び／又は再生領域の最内周位置から前記ターンテーブルの下へ入り込んだ位置又は該最内周位置又は該最内周位置の近傍位置に設定されている
ことを特徴とする請求項１に記載の光ピックアップのクリーニング装置。
【請求項７】
前記スピンドルモータの回転軸を長く構成することによって、前記ターンテーブルの下部に前記スレッドの一部が入り込むことが可能な空間を形成した
ことを特徴とする請求項１に記載の光ピックアップのクリーニング装置。
【請求項８】
前記スピンドルモータの直径を該スピンドルモータの軸方向の長さに比べて小さく構成することによって、前記ターンテーブルの下部に前記スレッドの一部が入り込むことが可能な空間を形成した
ことを特徴とする請求項１に記載の光ピックアップのクリーニング装置。
【発明の詳細な説明】
【技術分野】
【０００１】
本発明は、光ディスク装置における光ピックアップの対物レンズのクリーニング装置に関するものである。
【背景技術】
【０００２】
光ディスクや光磁気ディスク等の光ディスク媒体に光ピックアップによってデータを記録及び／又は再生する光ディスク装置では、光ピックアップの対物レンズの表面にダスト（塵埃）や煙草のヤニ等が付着、堆積されることがあれば、光ビームの透過性が劣化して、データの記録（書き込み）及び／又は再生（読み取り）の精度が著しく阻害されてしまう。特に、車載用の光ディスク装置ではこの問題が顕著である。
従って、光ディスク装置では、光ピックアップの対物レンズの表面を定期的にクリーニングする必要がある。
【０００３】
そこで、従来から、対物レンズを定期的にクリーニングする方法として、下面にクリーニング用ブラシが付設（植毛）されたクリーニング専用ディスクをターンテーブル上にローディングして、このクリーニング専用ディスクをターンテーブルによって回転駆動することにより、対物レンズの表面に付着、堆積されているダストをクリーニング専用ディスクのクリーニング用ブラシによって払拭するようにクリーニングするもの（例えば、特許文献１）がある。
【０００４】
また、光ピックアップを両面光ディスクの下側から上側へ迂回させる経路途中にクリーニング専用ブラシを配置して、その光ピックアップの迂回途中に、対物レンズをクリーニング専用ブラシに接触させて、対物レンズの表面に付着、堆積されているダストをクリーニング専用ブラシによって払拭するようにクリーニングするもの（例えば、特許文献２）がある。
【０００５】
また、面積が大きいレンズ専用カバーをスピンドルモータの回転軸の外周に回転自在に取り付けて、光ディスクの記録／再生時には、スピンドルモータの回動軸によってターンテーブルを所定方向へ回転駆動すると共に、レンズ専用カバーを対物レンズ上を覆う位置から待避位置へ回動させて、その対物レンズ上を開放させる。一方、光ディスクの記録／再生後には、スピンドルモータを上記所定方向とは反対方向へ一時的に回転駆動することによって、レンズ専用カバーを待避位置から対物レンズ上を覆う位置へ回動させて、対物レンズの表面にダストが付着、堆積され難くするようにしたもの（例えば、特許文献３）がある。
【特許文献１】特開２００２−９２９２０号公報
【特許文献２】特開平０６−１１１３５２号公報
【特許文献３】特開平０７−２３５０７４号公報
【発明の開示】
【発明が解決しようとする課題】
【０００６】
解決しようとする問題点は、従来は何れの場合も、クリーニング専用ディスク、クリーニング専用ブラシ及びレンズ専用カバー等のクリーニングや防塵用等の専用機構を新たに付加する方式であることから、部品点数や組立工数が増加して、光ディスク装置のコストアップを招く点である。特に、クリーニング専用ディスクを用いて対物レンズをクリーニングする方式は、そのクリーニングの都度、クリーニング専用ディスクをいちいちローディング及びアンローディングしなければならず、作業性に欠ける。
【課題を解決するための手段】
【０００７】
本発明は、対物レンズのクリーニング専用機構を新たに付加することなく、その対物レンズをクリーニングすることができるようにするために、対物レンズのクリーニング手段をターンテーブルに付設して、クリーニング手段をターンテーブルと一体に回転駆動して、対物レンズをクリーニングするように構成したものである。
【発明の効果】
【０００８】
本発明の光ピックアップのクリーニング装置は、光ディスク媒体をスピンドルモータによって回転駆動するためのターンテーブル自体に、対物レンズのクリーニング手段を付設したので、ターンテーブルでクリーニング手段を兼用することができ、部品点数や組立工数を増加することなく、対物レンズをクリーニングすることができる。
【発明を実施するための最良の形態】
【０００９】
対物レンズの表面に付着、堆積したダストを確実に払拭すると言う目的を、ターンテーブルに付設したブラシやファンで実現した。
【００１０】
対物レンズの表面に付着、堆積したダストをより効果的に払拭すると言う目的を、クリーニング時に対物レンズを振動手段によって同時に上下、左右等に振動させることで実現した。
【００１１】
対物レンズのクリーニング動作の終了後であって、光ディスク媒体の記録及び／又は再生の待機時に、対物レンズの表面にダスト等が堆積しにくいように、ターンテーブルを対物レンズ上のカバー（シャッター）部材として利用できるようにすると言う目的を、対物レンズのクリーニング動作の終了後に、その対物レンズをターンテーブルの下部位置に待機させるようにすることによって実現した。
【００１２】
クリーニング時に、光ピックアップの対物レンズが搭載されたスレッドをターンテーブルの外周部分の下側に入り込ませて、ターンテーブルのクリーニング手段でクリーニングすると言う目的を、スピンドルモータの直径を、軸方向の長さに比べて小さく構成したり、スピンドルモータの回転軸を長く構成して、該スピンドルモータとターンテーブルとの間に隙間を構成することで実現した。
【実施例１】
【００１３】
初めに、図１及び図２によって、本発明の光ディスク装置における光ピックアップのクリーニング装置の実施例１を説明する。
この光ディスク装置１は、図１に１点鎖線で示す光ディスクや光磁気ディスク等の光ディスク媒体２をターンテーブル３の上面３ａ上に水平にチャッキングして、ターンテーブル３をスピンドルモータ４の回転軸５によって回転駆動することにより、光ディスク媒体２を回転駆動するように構成されている。
そして、光ディスク媒体２にデータ（情報）を記録及び／又は再生する光ピックアップ７の光学系移動手段であるスレッド８が光ディスク媒体２の下側に配置されている。このスレッド８には光学系の対物レンズ９が２軸アクチュエータ１０によって上向きの垂直状に搭載されている。
【００１４】
そして、この光ディスク装置１は、光ディスク媒体２をターンテーブル３と一体にスピンドルモータ４によって矢印ａ方向へ定速で回転駆動し、レーザビーム等の光ビームを対物レンズ９によって光ディスク媒体２の下面に下方から垂直状に収束させた状態で、スレッド移送機構１１によってスレッド４を光ディスク媒体２の半径方向である矢印ｂ、ｃ方向に水平状に移送するようにして、光ディスク媒体２にデータ（情報）の記録及び／又は再生を行うことができるように構成されている。
【００１５】
次に、光ピックアップ７のクリーニング装置２１の実施例１は、クリーニング手段２２の一例であるブラシ（刷子）２３をターンテーブル３の下面３ｂの外周３ｃ側に下向けに付設（植毛）している。なお、このブラシ２３はターンテーブル３の下面３ｂの同心円形状の領域２４内に付設されている。
そして、スピンドルモータ４の回転軸５の長さＡをスレッド８の上下厚みＢよりも十分に長く構成することによって、ターンテーブル３の下部へスレッド８を矢印ｂ、ｃ方向に出入りさせることができる下部空間２６が形成されている。
そして、光ピックアップ７のスレッド８が対物レンズ９を光ディスク媒体２の記録及び／又は再生領域の最内周位置（但し、ターンテーブル３の外周３ｃより外側位置）Ｐ１からターンテーブル３の外周３ｃより下側へ入り込んだクリーニング位置Ｐ２まで矢印ｂ、ｃ方向に出入り可能に構成されている。
【００１６】
このように構成された光ピックアップ７のクリーニング装置２１によれば、対物レンズ９のクリーニングモードが所定の時間間隔で予め設定されているか、或いは、使用者の任意の設定（クリーニングスイッチを任意にオンする等）によって対物レンズ９の表面に（上面）に付着・堆積されたダスト（塵埃）のクリーニングが自動的に行われる。
即ち、クリーニングモード設定されると、スピンドルモータ４によってターンテーブル３が矢印ａ方向へ所定の速度で回転駆動される。これと同時に、或いは、引き続いて、光ピックアップ７のスレッド８がスレッド移送機構１１によってターンテーブル３の外側位置からターンテーブル３の下部空間２６へ矢印ａ方向に移送される。
【００１７】
すると、対物レンズ９が記録及び／又は再生領域の最内周位置Ｐ２を矢印ｂ方向へ通過して、或いは、最内周位置Ｐ２からターンテーブル３の下部のクリーニング位置Ｐ３へ移動されて停止される。
そして、この状態で、ターンテーブル３が所定速度のまま一定時間回転駆動されることにより、ターンテーブル３と一体に回転される下向きのブラシ２３によって対物レンズ９の表面に付着・堆積されているダストが払拭されるダストクリーニングが自動的に行われることになる。
なお、クリーニングモードが設定された時に、スレッド８をターンテーブル３の外側位置から下部空間２６内へ矢印ａ方向に移送して、対物レンズ９をクリーニング位置Ｐ３へ移動させた後に、スピンドルモータ４によってターンテーブル３を矢印ａ方向へ所定速度で回転駆動することにより、ブラシ２３によって対物レンズ９のクリーニングを行うようにすることもできる。
【実施例２】
【００１８】
次に、図３によって、クリーニング装置２１の実施例２を説明すると、この場合は、クリーニング手段２２の一例であるブラシ２３をターンテーブル３の外周３ｃ又はその近傍位置からターンテーブル３の外方及び下方である斜め下方に傾斜させて付設したものである。
このように、ブラシ２３をターンテーブル３の斜め下方に傾斜させて付設しけた場合には、対物レンズ９のクリーニング位置Ｐ３を記録及び／又は再生領域の最内周位置Ｐ２又はその近傍位置に設定することができる。
【実施例３】
【００１９】
次に、図４によって、クリーニング装置２１の実施例３を説明すると、この場合は、クリーニング手段２２の一例である風発生手段としてのファン３１をターンテーブル３の外周３ｃ又はその近傍位置に付設したものである。
このように、クリーニング手段２２をファン３１に構成すれば、ターンテーブル３の回転により、ファン３１で発生した風３２を対物レンズ９の表面（上面）に拭き付けて、その対物レンズ９の表面に付着・堆積されているダストを非接触状態でクリーニングすることができる。
【実施例４】
【００２０】
次に、図２、図３及び図４によって、クリーニング装置２１の実施例４を説明すると、この場合は、前述したブラシ２３やファン３１による対物レンズ９の表面のクリーニング時に、振動手段である２軸アクチュエータ１０によって対物レンズ９を上下（矢印ｅ方向）、左右（矢印ｆ方向）へ同時に振動させるようにして、対物レンズ９の表面に付着、堆積したダストをより効果的に払拭することができるように構成したものである。
【実施例５】
【００２１】
次に、図１及び図２によって、クリーニング装置２１の実施例５を説明すると、この場合は、前述した対物レンズ９の表面（上面）のクリーニング動作の終了後に、その対物レンズ９をターンテーブル３の下部位置であるクリーニング位置Ｐ３等に待機させるように構成することによって、対物レンズ９のクリーニング動作の終了後であって、光ディスク媒体２の記録及び／又は再生の待機時に、対物レンズ９の表面（上面）にダスト等が堆積しにくいように、ターンテーブル３を対物レンズ９上のカバー（シャッター）部材として利用できるようにしたものである。
【実施例６】
【００２２】
次に、図５によって、クリーニング装置２１の実施例６を説明すると、この場合は、スピンドルモータ４の直径Ｃを軸方向の長さＤに比べて小さく構成することによって、ターンテーブル３の下部へスレッド８を矢印ａ、ｂ方向に出入りさせることができる下部空間２６を形成したものである。
【産業上の利用可能性】
【００２３】
上記した実施例１〜６では、光ディスクにデータを記録及び／又は再生する光ディスク装置を示したが、光磁気ディスクにデータを記録及び／又は再生する光磁気ディスク装置にも適用することができる。
【図面の簡単な説明】
【００２４】
【図１】光ピックアップのクリーニング装置の実施例１及び５を示した平面図である。
【図２】図１の側面図である。
【図３】光ピックアップのクリーニング装置の実施例２及び４を示した側面図である。
【図４】光ピックアップのクリーニング装置の実施例３を示した側面図である。
【図５】光ピックアップのクリーニング装置の実施例６を示した側面図である。
【符号の説明】
【００２５】
１  光ディスク装置
２  光ディスク媒体
３  ターンテーブル
３ａ  ターンテーブルの上面
３ｂ  ターンテーブルの下面
３ｃ  ターンテーブルの外周
４  スピンドルモータ
５  回転軸
７  光ピックアップ
８  スレッド
９  対物レンズ
１０  振動手段である２軸アクチュエータ
１１  スレッド移送機構
２１  クリーニング装置
２２  クリーニング手段
２３  ブラシ
２６  下部空間
３１  ファン
【図１】
2005129169.tif 000003
【図２】
2005129169.tif 000004
【図３】
2005129169.tif 000005
【図４】
2005129169.tif 000006
【図５】
2005129169.tif 000007